【手続補正書】
【提出日】平成30年8月1日(2018.8.1)
【手続補正１】
【補正対象書類名】明細書
【補正対象項目名】００２７
【補正方法】変更
【補正の内容】
【００２７】
左脚本体(6)は、アルミニウム等の形材よりなり、垂直な左側壁(61)と、左側壁(61)の前後縁から右方にのびた前後壁(62)とを備えている横断面略コ字形のものである（図５等参照）。
左側壁(61)の外面には、左方に向かって突出した２つのガイド壁(63)が、前後に間隔をおいて形成されている。前後２つのガイド壁(63)の先端部には、互いに反対向きとなるように前後方向外方に折れ曲がった嵌合凸部(64)が設けられている。
左側壁(61)のうち両ガイド壁(63)間の部分は、その両側部分と比べて、右方にやや凹んでいる。両ガイド壁(63)の左右幅中間に、互いに向かい合うように短く突出した垂直凸条が設けられ、これらの垂直凸条と左側壁(61)の両ガイド壁(63)間部分との間に、内部拡大溝(65)が形成されている。
図７等に示すように、左脚本体(6)は、その上端部が、横断面コ字型のブラケット(66)を介して、左支柱(3)の左側壁(31)外面に取り付けられている。より詳細に言うと、まず、ブラケット(66)のベース壁(661)が、左支柱(3)の左側壁(31)外面に、複数組のボルト・ナット等によって接合固定され、次いで、ブラケット(66)のベース壁(661)の前後縁から左方にのびる前後壁(662)どうしの間に、左脚本体(6)の上端部が挿入されて、ブラケット(66)の前後壁(662)および左脚本体(6)の前後壁(62)を緩く貫通させられた回動ボルト(67)の先端にナット(68)がねじ嵌められることにより、左脚本体(6)が、左支柱(3)に開閉自在に取り付けられている（図７参照）。
図４に示すように、左脚本体(6)は、左支柱(3)と重なる閉じた状態において、その下端が左支柱(3)の下端とほぼ同一レベルに位置するように、左支柱(3)に取り付けられている。
左脚本体(6)の上端部には、その上端面を覆うように、キャップ(69)が装着されている。キャップ(69)は、例えば合成樹脂製であって、障害物との接触時にその力を逃がすように、片流れ屋根形の形状を有するものとなされている。
【手続補正２】
【補正対象書類名】明細書
【補正対象項目名】００３４
【補正方法】変更
【補正の内容】
【００３４】
左開閉ロック装置(12)は、左支持バー(11)に長さ方向に間隔をおいて形成されている複数の係合部(13)と、スリーブ(9)内に前後方向にのびる揺動軸を中心として揺動自在に組み込まれかつ先端部に左支持バー(11)の係合部(13)に下方から係り止められる係合部(141a)を有しているロック爪(141)と、ロック爪(141)をその係合部(141a)が左支持バー(11)の係合部(13)に係り止められる方向に向かって付勢する弾性部材(15)と、ロック爪(141)の基端部に連なってロック爪(141)と反対方向にのびるとともにスリーブ(9)の底壁(92)に形成された連通窓(921)を通じて下方に突出させられており、上方に押圧することにより弾性部材(15)の弾性力に抗してロック爪(141)をその係合部(141a)が左支持バー(11)の係合部(13)から外れる方向に揺動させる操作レバー(142)とを備えている。
左支持バー(11)の係合部は、左支持バー(11)の底壁に長さ方向に間隔をおいて形成されている左右２つの係合孔(13)よりなる。なお、係合孔の数は３つ以上としてもよく、それによって脚本体の開度をより多段階に調整することが可能となる。
図８や図９等に示すように、ロック爪(141)、弾性部材(15)および操作レバー(142)は、ブラケット(16)内に組み込まれて、１つのユニットを構成している。
ブラケット(16)は、上方に開口した略Ｕ形の垂直横断面を有する折り曲げ金属片よりなり、スリーブ(9)の底壁(92)上面に重ねられる底壁(161)と、底壁(161)の前後縁から上方にのびかつスリーブ(9)の前後側壁(93)内面の下部に重ねられる前後立上り壁(162)とを備えている。ブラケット(16)の底壁(161)は、スリーブ(9)における底壁(92)上面の左端寄り部分に重ねられて、リベット等により同部分に接合固定されている。ブラケット(16)の前後各立上り壁(162)には、その中央部に挿通孔(162a)があけられている（図８参照）。また、これらの挿通孔(162a)に合致するように、スリーブ(9)の前後側壁(93)に挿通孔（図示略）があけられている。
ロック爪(141)および操作レバー(142)は、１つの揺動片(140)によって構成されている。揺動片(140)は、その長さの中間部に前後貫通状の挿通孔(140a)を有している。そして、揺動片(140)がブラケット(16)内に挿入されて、揺動片(140)の挿通孔(140a)、ブラケット(16)の前後立上り壁(162)の挿通孔(162a)、およびスリーブ(9)の前後側壁(93)の挿通孔にまたがって回動ボルト(21)が挿通され、その先端部にナット(22)がねじ嵌められることにより、揺動片(140)が回動ボルト(21)を中心としてブラケット(16)、ひいてはスリーブ(9)に揺動自在に取り付けられている。ロック爪(141)は、揺動片(140)の左右方向外側部分によって構成され、操作レバー(142)は、揺動片(140)の左右方向内側部分によって構成されている。
ロック爪(141)の係合部は、ロック爪(141)の先端部から上向きに折れ曲がった係合凸部(141a)よりなり、左支持バー(11)の各係合孔(13)に嵌め入れられて、同孔(13)の縁に係り止められるようになっている。
操作レバー(142)は、揺動片(140)の揺動軸（回動ボルト(21)）からやや偏心した位置から、ロック爪(141)と反対向きにのびており、ロック爪(141)よりやや短いものとなされている。この操作レバー(142)は、ブラケット(16)の底壁(161)に形成された連通孔(161a)、およびこの連通孔(161a)と合致するようにスリーブ(9)の底壁(92)に形成された連通窓(921)を通じて、スリーブ(9)の下方に突出させられている。操作レバー(142)の下側面は、ロック解除時に手指で押される押圧部(142a)を構成している。押圧部(142a)には、手指の滑りを防止するために、横断面凹弧状をした複数本の水平溝(142b)が、左右方向に等間隔おきに形成されている（図８等参照）。
また、揺動片(140)には、操作レバー(142)の長さ中間部から操作レバー(142)の長さ方向と交差するように斜め下方に向かってのびる分岐片(143)が、操作レバー(142)と一体に設けられている。この分岐片(143)は、ロック爪(141)の係合凸部(141a)が支持バー(11)の係合孔(13)の縁に係り止められたロック状態において、分岐片(143)の先端が操作レバー(142)の先端とほぼ同一のレベルに並ぶとともに、分岐片(143)の先端と操作レバー(142)の先端との間にロック爪(141)の揺動軸（回動ボルト(21)）が位置するように形成されている。
弾性部材(15)は、ねじりコイルばね（より詳細には、ダブルトーションばね）よりなり、そのコイル部が回動ボルト(21)の外側に嵌められた状態で、その両端部がブラケット(16)の底壁(161)とロック爪(141)との間に介在されている。このねじりコイルばね(15)によって、揺動片(140)を、その左右方向外側部分のロック爪(141)の係合凸部(141a)が支持バー(11)の係合孔(13)に嵌め込まれて同孔(13)の縁に係り止められるロック方向に付勢している。
【手続補正３】
【補正対象書類名】図面
【補正対象項目名】図５
【補正方法】変更
【補正の内容】
【図５】
2017036625.tif 000001
【手続補正４】
【補正対象書類名】図面
【補正対象項目名】図６
【補正方法】変更
【補正の内容】
【図６】
2017036625.tif 000002
【手続補正５】
【補正対象書類名】図面
【補正対象項目名】図９
【補正方法】変更
【補正の内容】
【図９】
2017036625.tif 000003
【手続補正６】
【補正対象書類名】図面
【補正対象項目名】図１０
【補正方法】変更
【補正の内容】
【図１０】
2017036625.tif 000004
【手続補正７】
【補正対象書類名】図面
【補正対象項目名】図１２
【補正方法】変更
【補正の内容】
【図１２】
2017036625.tif 000005
【手続補正８】
【補正対象書類名】図面
【補正対象項目名】図１３
【補正方法】変更
【補正の内容】
【図１３】
2017036625.tif 000006